(57)【特許請求の範囲】
【請求項１】
最上階の鉄骨梁を越えて上方に延設された外壁パネルと、最上階の鉄骨梁の上フランジに間隔をおいて固定された複数個のパラペット補強束と、隣接するパラペット補強束の上面にわたって固定され、外壁パネルの上端面の上方に延設された笠木下地レールと、隣接するパラペット補強束の側面にわたって固定された下地板と、下地板の表面側上端部に沿うとともに笠木下地レールに載置され、外壁パネルの表面側上端部前方を遮る断面略コ字状の水切り板と、屋上の床下地材上に貼着され、側端面が下地板に突き合わされた断熱材と、断熱材上に貼着され、断熱材の一端縁を越えた延長部を有する防水シートと、から構成され、防水シートの延長部が下地板に沿って立ち上げられて貼着されるとともに、その先端が水切り板の上面に貼着されていることを特徴とするパラペットの防水構造。
【請求項２】
前記水切り板の外面を略覆う大きさの笠木取付金具が水切り板の上面に載置されて笠木下地レールにビス固定され、笠木取付金具に笠木が着脱自在に固定されていることを特徴とする請求項１記載のパラペットの防水構造。
【発明の詳細な説明】
【０００１】
【発明の属する技術分野】
本発明は、鉄骨系住宅におけるパラペットの防水構造に関するものである。
【０００２】
【従来の技術】
従来、裏面側の所定位置にナット金具が予め配設されるとともに、複数個の中空部が上下方向に貫通して形成された外壁パネルが知られている。このような外壁パネルを用いて鉄骨系住宅の外壁を形成する場合、基礎や鉄骨梁に固定された壁軸組に対して外壁パネルを固定するようにしている。具体的には、外壁パネルに埋設されたナット金具に取付金具をボルトを介して固定する一方、壁軸組に接合金具をボルトを介して固定し、外壁パネルに固定された取付金具を壁軸組に載置するとともに、壁軸組に固定された接合金具を外壁パネルのナット金具にボルトを介して固定することにより、外壁パネルを壁軸組に固定していた（例えば、特開平９−３２８８６４号公報参照）。
【０００３】
【発明が解決しようとする課題】
ところで、最上階の外壁パネルについては、最上階の鉄骨梁の上方に延設されてパラペットに形成されている。この場合、屋上を防水するため、防水シートを屋上の床下地材と外壁パネルにわたって貼着しているが、地震などによって外壁パネルが鉄骨梁に対して相対的に移動すると、防水シートの各部にひずみが発生し、場合によっては防水性能が損なわれるという問題があった。
【０００４】
本発明は、このような問題点に鑑みてなされたものであり、最上階の鉄骨梁の上方に延設された外壁パネルとは無関係にパラペットを防水することのできるパラペットの防水構造を提供するものである。
【０００５】
【課題を解決するための手段】
本発明は、最上階の鉄骨梁を越えて上方に延設された外壁パネルと、最上階の鉄骨梁の上フランジに間隔をおいて固定された複数個のパラペット補強束と、隣接するパラペット補強束の上面にわたって固定され、外壁パネルの上端面の上方に延設された笠木下地レールと、隣接するパラペット補強束の側面にわたって固定された下地板と、下地板の表面側上端部に沿うとともに笠木下地レールに載置され、外壁パネルの表面側上端部前方を遮る断面略コ字状の水切り板と、屋上の床下地材上に貼着され、側端面が下地板に突き合わされた断熱材と、断熱材上に貼着され、断熱材の一端縁を越えた延長部を有する防水シートと、から構成され、防水シートの延長部が下地板に沿って立ち上げられて貼着されるとともに、その先端が水切り板の上面に貼着されていることを特徴とするものである。
【０００６】
本発明によれば、最上階の鉄骨梁の上フランジにパラペット補強束を固定するとともに、パラペット補強束を利用して笠木下地レールおよび下地板を配置し、さらに、下地板に沿いつつ笠木下地レール上に水切り板を載置することにより、屋上の床下地材上に敷設された断熱材上に防水シートを貼着する際、その延長部を下地板材に沿って立ち上げて水切り板にまでわたって貼着することができる。
【０００７】
この結果、最上階の鉄骨梁を超えて上方に延設された外壁パネルとは無関係に屋上の床下地材とパラペット補強束とにわたって防水シートを貼着して防水することができることから、外壁パネルが鉄骨梁に対して相対的に移動したとしても、防水シートが影響を受けることがなく、防水シートにひずみが発生したり、損傷したりすることを確実に防止することができる。
【０００８】
本発明において、水切り板の外面を略覆う大きさの笠木取付金具が水切り板の上面に載置されて笠木下地レールにビス固定され、笠木取付金具に笠木が着脱自在に固定されていると、パラペット部を笠木で覆うことができ、パラペット部の外観を化粧することができる。
【０００９】
【発明の実施の形態】
以下、本発明のパラペットの防水構造の実施の形態について図面に基づいて説明する。
【００１０】
図１には、本発明のパラペットの防水構造の一実施形態が示されている。
この防水構造は、最上階の鉄骨梁Ｈを越えて上方に延設された外壁パネル１と、最上階の鉄骨梁Ｈの上フランジｈ１に間隔をおいて固定された複数個のパラペット補強束２と、隣接するパラペット補強束２の上面にわたって固定された笠木下地レール３と、隣接するパラペット補強束２の側面にわたって固定された下地板４と、笠木下地レール３および下地板４に沿って被せられた水切り板５と、最上階の鉄骨梁Ｈに設けた床下地材Ｙ、例えば、ＡＬＣ床材に貼着され、一側端面が下地板４に突き合わされた断熱材６と、断熱材６に貼着され、断熱材６の一端縁を越えた延長部を有する防水シート７と、から構成されている。
【００１１】
ここで、鉄骨梁Ｈは、断面Ｈ字状の形鋼が採用され、その上下のフランジｈ１，ｈ２には、その室内側および室外側において、それぞれ設定間隔をおいて複数個の下穴ｈａが予め形成されており（図５および図６参照）、パラペット補強束２や、後述する取付部材１４，１５などをボルトナットを介して固定する場合に使用される。
【００１２】
また、ＡＬＣ床材などの床下地材Ｙは、屋上の床下地を構成するものであり、最上階の鉄骨梁Ｈの上フランジｈ１の上面および該階の鉄骨梁Ｈに連結された図示しないフレームの上面に載置され、適宜固定されている。
【００１３】
外壁パネル１は、セメントの押出成形品であって、上下方向に貫通する複数個の中空部１ａを有するとともに、その裏面側上部左右およびその下部左右の所定位置に一の中空部１ａに連通する下穴１ｂが形成されており、各下穴１ｂには一の中空部１ａの上下端部から挿入されたナット金具１６が配設されている（図７参照）。また、外壁パネル１には、その表面に詳細には図示しないが加飾模様、例えば、縦方向および横方向にそれぞれ設定間隔をおいて形成された複数本の縦溝と横溝によって目地パターンが形成されている。
【００１４】
パラペット補強束２は、図２に示すように、断面略Ｃ字状の支柱２１と、支柱２１の上端に固定された上取付板２２と、支柱２１の下端に固定された下取付板２３と、からなり、上取付板２２には、後述する笠木下地レール３を固定するための２個の雌ねじ２２ａが形成され、また、下取付板２３には、最上階の鉄骨梁Ｈにボルトを介して固定するための２個の長穴２３ａが形成されている。
【００１５】
笠木下地レール３は、図２に示すように、下水平部３１、下水平部３１の一端縁から上方に立ち上げられた立ち上げ部３２、立ち上げ部３２の上端縁から下水平部３１の延設方向に延設された上水平部３３を有して断面略コ字状に折曲され、隣接するパラペット補強束２，２間の間隔にわたる長さに形成されている。そして、下水平部３１は、パラペット補強束２の上取付板２２の縦寸法に略一致する幅寸法に設定され、立ち上げ部３２は、パラペット補強束２の上取付板２２に下水平部３１を載置した際、上水平部３３が外壁パネル１の上端を越える幅寸法に設定され、また、上水平部３３は、外壁パネル１の上端面上方に張り出すように、下水平部３１よりも大きな幅寸法に設定されている。さらに、笠木下地レール３の下水平部３１には、パラペット補強束２の上取付板２２に形成された雌ねじ２２ａに合わせて複数個の長穴３１ａが形成されている他、該下水平部３１の長穴３１ａに対応して立ち上げ部３２および上水平部３３には方形の切欠開口部３ａが形成されており、この切欠開口部３ａを通して下水平部３１の長穴３１ａにボルトを挿通させることができる。
【００１６】
下地板４は、細長状の合板であって、隣接するパラペット補強束２，２の支柱２１，２１間にわたる横寸法と、パラペット補強束２の高さよりも若干大きな縦寸法に形成され、パラペット補強束２の支柱２１の表面に沿って配設される。
【００１７】
水切り板５は、水平部５１、水平部５１の両端から下方に垂設された外垂下部５２および内垂下部５３を有して断面コ字状に折曲され、複数個のパラペット補強束２，２間にわたる長さに形成されている。そして、水切り板５の水平部５１の幅は、平面視において、外壁パネル１の表面からパラペット補強束２に固定された下地板４の表面にわたる長さ以上に設定されている他、水切り板５の水平部５１を前述した笠木下地レール３の上水平部３３に載置した際、外垂下部５２の幅および内垂下部５３の幅は、それぞれの下端部が外壁パネル１の表面側上端部および下地板４の表面側上端部に接することができるように設定されている。したがって、水切り板５の内垂下部５３の内面をパラペット補強束２に固定された下地板４の表面側上端部に沿わせてその水平部５１の内面を笠木下地レール３の上水平部３３に載置すると、その外垂下部５２は、外壁パネル１の表面側上端部の前方を遮るように垂下される。
【００１８】
なお、水切り板５の水平部５１と外垂下部５２とで形成される隅角部の内面には、その長手方向に沿ってＥＰＴ製支持材９が予め配設されており、水切り板５の水平部５１を笠木下地レール３の上水平部３３と外壁パネル１の上端面との間に載置することができる。
【００１９】
断熱材６は、床下地材Ｙ上に貼着されており、その一側端面は、前述した下地板４の表面に突き合わされている。この場合、断熱材６の、下地板４に突き合わされる側の端縁部は、外方に向かって下り勾配の排水傾斜面に形成されている。
【００２０】
防水シート７は、断熱材６の上面に貼着されており、例えば、塩ビシートが採用されている。防水シート７は、断熱材６の、下地板４に突き合わされる側の端縁を越えて一定長さ延長されており、この延長部の長さは、断熱材６の端面と下地材３との突き合わせ部から、水切り板５の水平部５１の中程に至る長さに設定されている。
【００２１】
なお、下地板４および該下地板４に突き合わされる断熱材６によって形成される隅角部と、水切り板５の水平部５１と内垂下部５３によって形成される隅角部には、断面Ｌ字状に折曲された補強板８、例えば、塩ビ鋼板がそれぞれ固定されており、これらの隅角部に貼着される防水シート７が損傷するのを防止している。
【００２２】
また、最上階の鉄骨梁Ｈの上フランジｈ１と、下地板４と、断熱材６とによって形成される空間には、モルタルＭが充填されている。
【００２３】
次に、パラペット部を含む屋上を防水施工する手順について説明する。
まず、最上階の鉄骨梁Ｈに床下地材Ｙを載置して固定するとともに、外壁パネル１を最上階の鉄骨梁Ｈとその下階の鉄骨梁Ｈとの間に固定する。この外壁パネル１は、最上階の鉄骨梁Ｈを越えて上方に一定長さ延設されるように長さが設定されている。次いで、最上階の鉄骨梁Ｈの上フランジｈ１に設定間隔をおいてパラペット補強束２を配置し、その下取付板２３の長穴２３ａおよび鉄骨梁Ｈの上フランジｈ１の下穴ｈａを通してボルトを挿通し、ナットを用いて固定する。
【００２４】
パラペット補強束２が固定されたならば、笠木下地レール３を把持し、その下水平部３１を隣接するパラペット補強束２，２の上取付板２２，２２にわたって載置し、切欠開口部３ａを通して下水平部３１の長穴３１ａから上取付板２２の雌ねじ２２ａにボルトをねじ込み、パラペット補強束２に笠木下地レール３を固定する。この後、隣接するパラペット補強束２，２の支柱２１，２１および笠木下地レール３の立ち上げ部３２に沿って下地板４を配置し、下地板４をパラペット補強束２および笠木下地レール３に固定する。次いで、水切り板５を把持し、その内垂下部５３の下端部を下地板４の上端部表面に沿わせるとともに、水平部５１を笠木下地レール３の上水平部３３上に載置し、貼着する。この際、水切り板５に設けた支持材９が外壁パネル１の上端面に載置されることから、水切り板５は、笠木下地レール３および外壁パネル１によって支持される。そして、水切り板５の外垂下部５２は、外壁パネル１の表面側上端部前方を遮るように垂設される。
【００２５】
この後、屋上の床下地材Ｙ上に断熱材６をその一側端面が下地板４に当接するように貼着する一方、下地板４と断熱材６とによって形成される隅角部に補強板８を貼着するとともに、水切り板５の水平部５１と内垂下部５３とによって形成される隅角部に補強板８を貼着する。次いで、断熱材６上に防水シート７を貼着するとともに、断熱材６の一側端縁を越えた延長部を下地板４および水切り板５の内垂下部５３に沿って立ち上げて貼着し、さらに、その先端部を補強板８の先端部まで巻き回して貼着する。防水シート７の貼着が終了すれば、防水シート７の端縁部と補強板８の端縁部を水切り板５の水平部５１に対して密封するため、これらの角隅部にシール材Ｓを充填する。
【００２６】
この結果、屋上の床下地材Ｙとパラペット補強束２との間を防水シート７によって防水することができる。この場合、外壁パネル１と無関係に防水シート７が貼着されていることから、地震などによって外壁パネル１が鉄骨梁Ｈに対して相対的に移動したとしても、防水シート７が影響を受けることがなく、防水シート７にひずみが発生したり、損傷するのを確実に防止することができる。
【００２７】
なお、前述したパラペット部を化粧するため、図３に示すように、アルミ製の笠木部材１０が取り付けられている。この笠木部材１０は、断面略コ字状に形成され、水切り板５の外面を略覆う大きさの複数個の笠木取付金具１１と、笠木取付金具１１よりも一回り大きな断面略コ字状に形成され、笠木取付金具１１に着脱自在に取り付けられた笠木１２と、からなり、各笠木取付金具１１には、その水平部の上面および下面にそれぞれ支持部１１ａおよび脚部１１ｂが形成されている他、内外の垂下部には、それぞれ係合部１１ｃが形成されている。また、笠木１２には、前述した笠木取付金具１１の係合部１１ｃに対応して、その内外の垂下部に係合突起１２ａが形成されている。
【００２８】
したがって、笠木部材１０を取り付けるには、まず、水切り板５の水平部５１の上面に笠木取付金具１１を設定間隔をおいて配置し、笠木下地レール３の上水平部３３にそれぞれビス固定した後、笠木１２を把持してその係合突起１２ａを各笠木取付金具１１の係合部１１ｃに係合すればよい。この際、各笠木取付金具１１は、その脚部１１ｂが水切り板５に接地することから、水切り板５との間隔が一定に保持される。また、笠木１２は、各笠木取付金具１１の支持部１１ａに支持され、笠木取付金具１１との間隔が一定に保持される。
【００２９】
この結果、パラペット部を笠木１０によって覆うことにより、パラペット部の外観を化粧することができる。
【００３０】
ところで、外壁パネル１を最上階の鉄骨梁Ｈとその下階の鉄骨梁Ｈに固定するため、図４に示すように、外壁パネル１の裏面の上部左右およびその下部左右にそれぞれボルトＢによって固定された係合金具１３と、最上階の鉄骨梁Ｈの下フランジｈ２に固定された上部取付部材１４と、最上階の下階の鉄骨梁Ｈの上フランジｈ１に固定された下部取付部材１５が用いられている。
【００３１】
係合金具１３は、鋼板を折曲して断面略Ｐ字状に形成したものであり、長穴１３ａを有する他、その一端部に断面略Ｖ字状の係合部１３ｂが形成されている（図７参照）。そして、係合金具１３は、その長穴１３ａを通して外壁パネル１の下穴１ｂに配設されたナット金具１６にボルトＢをねじ込むことにより、外壁パネル１に固定することができる。この際、係合金具１３を外壁パネル１の上部左右に固定する場合は、その係合部１３ｂが上方となるように配置され、また、下部左右に固定する場合は、その係合部１３ｂが下方となるように配置される。
【００３２】
上部取付部材１４は、１個のボルト用下穴（図示せず）がそれぞれ形成されるとともに、設定間隔をおいて配置された複数枚の取付板１４１と、これらの取付板１４１に溶着された断面略Ｌ字状のチャンネル材１４２、例えば、リップ山形鋼と、からなり、チャンネル材１４２の垂直片１４２１の先端にはリップ部１４２ａが形成されている。そして、チャンネル材１４２は、その垂直片１４２１の外面と取付板１４１の先端面とがほぼ同一の垂直面上に位置するように、その水平片１４２２が取付板１４１に溶着されている。
【００３３】
下部取付部材１５は、１個のボルト用下穴（図示せず）がそれぞれ形成されるとともに、設定間隔をおいて配置された複数枚の支持板１５１と、これらの支持板１５１に溶着された断面略Ｌ字状のチャンネル材１５２、例えば、リップ山形鋼と、からなり、チャンネル材１５２の垂直片１５２１の先端にはリップ部１５２ａが形成されている。そして、チャンネル材１５２は、支持板１５１の先端部に外壁パネル１の下端を載置する一定長さをおいてその垂直片１５２１が位置するように、その水平片１５２２が支持板１５１に溶着されている。
【００３４】
次に、このような係合金具１３、上部取付部材１４および下部取付部材１５を用いて外壁パネル１を取り付ける手順について説明する。
【００３５】
まず、図７に示すように、外壁パネル１の裏面の上部左右および下部左右にそれぞれ係合部１３ｂが外壁パネル１の上端部側および下端部側にそれぞれ位置するように、係合金具１３の長穴１３ａを通してナット金具１６にボルトＢをねじ込み、係合金具１３を外壁パネル１に固定する。この場合、ボルトＢはナット金具１６から脱落しない程度に仮止めする。
【００３６】
一方、最上階の鉄骨梁Ｈの下フランジｈ２の下面に上部取付部材１４の取付板１４１を配置し、その取付板１４１のボルト用下穴および鉄骨梁Ｈの下フランジｈ２の下穴ｈａを通してボルトを挿通し、ナットを用いて固定する（図５参照）。この際、上部取付部材１４のチャンネル材１４２の垂直片１４２１が水平片１４２２よりも室外側に位置するように取り付ける。また、最上階の下階の鉄骨梁Ｈの上フランジｈ１の上面に下部取付部材１５を載置し、その支持板１５１のボルト用下穴および鉄骨梁Ｈの上フランジｈ１の下穴ｈａを通してボルトを挿通し、ナットを用いて固定する（図６参照）。この際、下部取付部材１５のチャンネル材１５２の垂直片１５２１が水平片１５２２よりも室外側に位置するように取り付ける。
【００３７】
次いで、クレーンなどを利用して外壁パネル１を吊り上げ、その下端を下部取付部材１５の支持板１５１に載置するとともに、その裏面を下部取付部材１５のチャンネル材１５２の垂直片１５２１の外面および上部取付部材１４のチャンネル材１４２の垂直片１４２１の外面に当接させた後、係合金具１３の係合部１３ｂを下部取付部材１５のチャンネル材１５２のリップ部１５２ａおよび上部取付部材１４のチャンネル材１４２のリップ部１４２ａにそれぞれ係合させ、ボルトＢを締め付けて係合金具１３を外壁パネル１のナット金具１６に締結することにより、外壁パネル１を最上階の鉄骨梁Ｈに固定された上部取付部材１４およびその下階の鉄骨梁Ｈに固定された下部取付部材１５に固定する。
【００３８】
この結果、最上階の下階の鉄骨梁Ｈに固定された下部取付部材１５のチャンネル材１５２のリップ部１５２ａおよび最上階の鉄骨梁Ｈに固定された上部取付部材１４のチャンネル材１４２のリップ部１４２ａに係合金具１３の係合部１３ｂを係合させてボルトＢを締め付けるだけの簡単な作業により、壁軸組を用いることなく外壁パネル１を固定することができる。したがって、部品点数が削減されるとともに、少ない作業時間によって取付作業を行うことができ、コストを削減することができる。また、係合金具１３の係合部１３ｂが下部取付部材１５のリップ部１５２ａおよび上部取付部材１４のリップ部１４２ａにそれぞれ係合していることにより、地震などによっても、外壁パネル１が水平移動することがない他、係合金具１３が回転して下部取付部材１５や上部取付部材１４から離脱することもないことから、外壁パネル１を確実に固定することができる。
【００３９】
なお、前述した実施形態においては、設定間隔をおいて配置された複数枚の取付板１４１とこれらの取付板１４１に溶接されたチャンネル材１４２によって上部取付部材１４を形成し、また、設定間隔をおいて配置された複数枚の支持板１５１とこれらの支持板１５１に溶接されたチャンネル材１５２によって下部取付部材１５を形成する場合を説明したが、複数枚の取付板１４１および複数枚の支持板１５１に代えて長尺状の取付板１４１や支持板１５１を用いることもできる。この場合は、長尺状の取付板１４１や支持板１５１に設定間隔をおいてそれぞれボルト用下穴を形成すればよい。
【００４０】
また、上部取付部材１４のチャンネル材１４２および下部取付部材１５のチャンネル材１５２として、リップ山形鋼を使用した場合を例示したが、リップ山形鋼に限定されるものではない。すなわち、係合金具１３の係合部１３ｂが係合可能なリップ部を有すればよいことから、リップ山形鋼に代えてリップ溝形鋼を採用することもでき、断面Ｌ字状や断面Ｃ字状などの形状を限定するものではない。
【００４１】
【発明の効果】
以上のように本発明によれば、屋上の床下地材とパラペット補強束とにわたって防水シートを貼着して防水することができることから、外壁パネルが鉄骨梁に対して相対的に移動したとしても、防水シートが影響を受けることがなく、防水シートにひずみが発生したり、損傷したりすることを確実に防止することができる。
【図面の簡単な説明】
【図１】本発明のパラペットの防水構造を一部省略して示す縦断面図である。
【図２】本発明のパラペットの防水構造を構成するパラペット補強束、笠木下地レールおよび下地板の関係を一部省略して示す分解斜視図である。外壁パネルの取付構造における外壁パネルと下部取付部材との関係を示す斜視図である。
【図３】笠木によって化粧したパラペット部を示す要部縦断面図である。
【図４】最上階の鉄骨梁とその下階の鉄骨梁にわたって固定された外壁パネルの取付状態を一部省略して示す縦断面図である。
【図５】図４の外壁パネルの取付構造における外壁パネルと上部取付部材との関係を示す斜視図である。
【図６】図４の外壁パネルの取付構造における外壁パネルと下部取付部材との関係を示す斜視図である。
【図７】外壁パネルに配設されるナット金具と係合金具の関係を示す分解斜視図である。
【符号の説明】
１    外壁パネル
２  パラペット補強束
３  笠木下地レール
４  下地板
５  水切り板
６  断熱材
７  防水シート
１０  笠木部材
１１  笠木取付金具
１２  笠木
１３  係合金具
１３ｂ  係合部
Ｈ  鉄骨梁
Ｙ  床下地材
【図１】
0003791745.tif 000002
【図２】
0003791745.tif 000003
【図３】
0003791745.tif 000004
【図４】
0003791745.tif 000005
【図５】
0003791745.tif 000006
【図６】
0003791745.tif 000007
【図７】
0003791745.tif 000008